(57)【要約】【課題】肩こりなどの体の不調を予防することを可能とする枕を提供することである。【解決手段】頭部４を載置する際に頭部４の重量で変形するような柔軟性を有する枕本体部１２を備える枕１０であって、枕本体部１２は、頭部４を載置するための天井面部１４と、天井面部１４と反対側に位置する底面部１６とを有し、底面部１６は、枕本体部１２の厚みが外側の端部から中央部に向かうにつれて薄くなるような凹部を有することを特徴とする。【選択図】図１
0003217501.tif 000002
【実用新案登録請求の範囲】
【請求項１】
頭部を載置する際に前記頭部の重量で変形するような柔軟性を有する枕本体部を備える枕であって、
前記枕本体部は、前記頭部を載置するための天井面部と、該天井面部と反対側に位置する底面部とを有し、
前記底面部は、前記枕本体部の厚みを外側の端部から中央部に向かうにつれて薄くする凹部を有することを特徴とする枕。
【請求項２】
請求項１に記載の枕において、
前記枕本体部は、平面視で略長方形の形状を有しており、
前記底面部は、長手方向の両端辺から長手方向の中央辺に向かって前記枕本体部の厚みを薄くする２つの傾斜面を有することを特徴とする枕。
【請求項３】
請求項２に記載の枕において、
前記２つの傾斜面がなす角度は、１４０°〜１６０°に設定されていることを特徴とする枕。
【請求項４】
請求項１から請求項３のいずれか１項に記載の枕において、
前記頭部を載置したときに頸部を支持するように前記枕本体部に連結し、平面視で略長方形の形状を有する支持部を備え、
前記支持部は、前記枕本体部側から前記枕本体部側の反対側に向けて厚みを薄くする傾斜面を有し、かつ、前記頸部から肩部を載置するために形成された凹部を有することを特徴とする枕。
【考案の詳細な説明】
【技術分野】
【０００１】
本考案は、枕に関する。
【背景技術】
【０００２】
従来、様々な枕が開発されている。例えば、特許文献１には、頸部を支持する頸部支持部と、頸部支持部に隣接して後頭部を支持する後頭部支持部と、を備え、後頭部支持部の表面には、後頭部を入れる凹部が設けられており、凹部は、後頭部支持部の表面から裏面まで貫通する貫通穴である枕が開示されている。
【先行技術文献】
【特許文献】
【０００３】
【特許文献１】特開２０１６−１５４５７３号公報
【考案の概要】
【考案が解決しようとする課題】
【０００４】
日常の生活において、肩こり、不眠、寝違えなどの症状が生じることがある。このような場合に、整体やマッサージなどの施術を受けることにより、症状を和らげることが出来る。施術によって一旦症状が和らいだとしても、その後、同じような生活を送っていると、同様の症状が生じることがあるため、予防できることが望ましい。これらの症状が発生する原因などを追究したところ、睡眠に用いる枕に起因するものが多いことが分かった。
【０００５】
本考案の目的は、肩こりなどの体の不調を予防することを可能とする枕を提供することである。
【課題を解決するための手段】
【０００６】
本考案に係る枕は、頭部を載置する際に前記頭部の重量で変形するような柔軟性を有する枕本体部を備える枕であって、前記枕本体部は、前記頭部を載置するための天井面部と、該天井面部と反対側に位置する底面部とを有し、前記底面部は、前記枕本体部の厚みを外側の端部から中央部に向かうにつれて薄くする凹部を有することを特徴とする。
【０００７】
また、本考案に係る枕において、前記枕本体部は、平面視で略長方形の形状を有しており、前記底面部は、長手方向の両端辺から長手方向の中央辺に向かって前記枕本体部の厚みを薄くする２つの傾斜面を有することが好ましい。
【０００８】
また、本考案に係る枕において、前記２つの傾斜面がなす角度は、１４０°〜１６０°に設定されていることが好ましい。
【０００９】
また、本考案に係る枕において、前記頭部を載置したときに頸部を支持するように前記枕本体部に連結し、平面視で略長方形の形状を有する支持部を備え、前記支持部は、前記枕本体部側から前記枕本体部側の反対側に向けて厚みを薄くする傾斜面を有し、かつ、前記頸部から肩部を載置するために形成された凹部を有することが好ましい。
【考案の効果】
【００１０】
本考案によれば、快適に睡眠をとることができ、肩こりなどの体の不調を予防することが出来る。
【図面の簡単な説明】
【００１１】
【図１】本発明に係る実施形態において、枕を示す図である。
【図２】本発明に係る実施形態において、枕を用いてユーザーが寝る際の様子を示す図である。
【考案を実施するための形態】
【００１２】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１３】
図１は、枕１０を示す図であり、図１（ａ）は枕１０の斜視図であり、図１（ｂ）は、図１（ａ）の矢印Ａ方向から枕１０を見た背面図である。図２は、枕１０を用いてユーザー２が寝る際の様子を示す図である。
【００１４】
枕１０は、快適に睡眠をとることができ、肩こりなどの体の不調を予防する睡眠用の寝具である。枕１０は、枕本体部１２と、支持部２０とを備えている。枕１０は、「身体の各部位の角度」「身体の各部位の重さ」「身体の各部位の大きさ」を鑑みて設計されており、良い寝心地で快眠を実現する寝具である。枕１０を覆うカバーは、肌触りや通気性などの品質や洗濯などのメンテナンスを考慮した材質で構成することが好ましい。
【００１５】
枕本体部１２は、ユーザー２の頭部４を載置する際に、頭部４の重量で変形するような柔軟性を有する材質を含む。また、支持部２０は枕本体部１２と同様に柔軟性を有する材質を含んで構成される。
【００１６】
柔軟性を有する材質として、例えば、高反発ウレタン、低反発ウレタン、高反発ファイバー、ラテックスなどを用いることが出来るが、ここではラテックスを用いるものとして説明する。
【００１７】
ラテックスは、合成ラテックスと天然ラテックスとが存在するが、耐久性や反発弾性力を考慮すると天然ラテックスの方が好ましい。ラテックスの通気性を高めるために複数のピンホールが形成されている。ピンホールの他に通気性を高めるための構成として、トゲトゲの突起形状が形成されていてもよい。
【００１８】
枕本体部１２は、平面視（上面視）が略長方形の形状を有しており、長手方向の長さが５００ｍｍであり、短手方向の長さが２６０ｍｍである。枕本体部１２の厚みは、最大で１００ｍｍである。枕本体部１２は、支持部２０との境界において丸みを有している。この丸みの半径は、２０ｍｍで設定することが出来る。なお、これらの数値は一例であって、もちろん適宜変更することができる。
【００１９】
枕本体部１２は、頭部４を載置するための天井面部１４と、天井面部１４と反対側に位置する底面部１６とを有する。底面部１６は、枕１０を設置するために敷き布団などに載置される。天井面部１４は、底面部１６が敷き布団などに載置された際に天井を向く平面を有している。
【００２０】
底面部１６は、長手方向の端辺１５ａ，１５ｂから長手方向の中央辺１５ｃに向かって枕本体部の厚みを薄くする傾斜面１６ａ，１６ｂを有する。傾斜面１６ａ，１６ｂのなす角度θ１は、１４０°〜１６０°に設定することが好ましい。すなわち、端辺１５ａ，１５ｂを結ぶ直線と傾斜面１６ａ，１６ｂのなす角度θ２は、１０°〜２０°に設定することが好適である。
【００２１】
一般的に、頭部４の重さは体重の約１３％である。例えば、約５０ｋｇの体重の人は、頭部４が約６．５ｋｇであるので、沈み込み考慮すると端辺１５ａ，１５ｂを結ぶ直線と傾斜面１６ａ，１６ｂのなす角度θ２は、１０°〜２０°に設定することで、頸部６にしわが寄らないようにすることが出来ることが分かった。
【００２２】
支持部２０は、ユーザー２の頭部４を載置したときに頸部６を支持するように枕本体部１２に連結し、平面視で略長方形の形状を有する。支持部２０は、枕本体部１２側から枕本体部１２側の反対側に向けて厚みが薄くなるような傾斜面を有しており、頸部６から肩部８部を載置するために形成された凹部２２を有している。
【００２３】
支持部２０の傾斜面の角度は、略２０°に設定されている。この略２０°は、立位時に肩甲骨が平均して概ね前傾３０°となるため、沈み込みの重さを考慮して設定している。
【００２４】
支持部２０は、長手方向の長さが枕本体部１２と同じ５００ｍｍであり、短手方向の長さが２４０ｍｍである。支持部２０の厚みは、枕本体部１２側が最も厚く７０ｍｍである。なお、これらの数値は一例であって、もちろん適宜変更することができる。
【００２５】
凹部２２は、支持部２０から切り欠いて形成されたような空間領域であり、この空間領域が仮に枕本体部１２と同様の柔軟性を有する材質で構成されたとした場合の形状や寸法について述べる。枕本体部１２側から枕本体部１２側の反対側に向けて厚みが薄くなるような傾斜面を有する。底面の長手方向の長さは４００ｍｍであり、底面の短手方向の長さは１７０ｍｍである。枕本体部１２側が最も厚く４０ｍｍであり、反対側に向かって厚みが薄くなる。なお、これらの数値は一例であって、もちろん適宜変更することができる。
【００２６】
続いて、上記構成の作用について説明する。人々が日々生活する中で体の不調を感じることがある。例えば、不眠、寝違え（筋違え）、神経症状、五十肩などの不調があり、マッサージや整体などの施術を施すことで痛みなどの症状は緩和するが、再び、同じような日々の生活が戻ると同様の不調を感じることがある。
【００２７】
この不調の原因を研究したところ、睡眠に用いる枕に起因するものが多いことが分かった。したがって、快適な睡眠をとることで、肩こりなどの体の不調を予防することが求められているが、枕１０は快適な睡眠をとるのに適しており、以下詳細に説明する。
【００２８】
ユーザー２が寝転んで頭部４を枕本体部１２に載置する前は、図２（ａ）に示されるように底面部１６の傾斜面１６ａ，１６ｂのなす角度が１４０°〜１６０°となるように底面部１６が浮いたような状態である。
【００２９】
しかしながら、頭部４を載置すると、図２（ｂ）に示されるように、頭部４の重みで枕本体部１２の形状が頭部４を包み込むように変形する。これにより、ユーザー２は頭部４が沈み込んで包み込まれる感覚となり、心地よく安眠することができる。
【００３０】
横向きに寝る場合に、図２（ｃ）に示されるように、枕本体部１２の端部（この例では、端辺１５ｂ）に頭部４を移動させる。このとき、敷き布団などの隙間がないため、沈み込みは生地の素材によるもののみで、中央部（中央辺１５ｃに対応する位置）ほど沈み込まないため、横向きで寝た場合に頭部４を沈み過ぎないようにすることが出来る。
【００３１】
なお、上記では、横向きで寝る場合に枕本体部１２の端部に頭部４を移動させるものとして説明したが、もちろん、中央部に設置してもよい。この場合、頭部４が底面部１６の凹みによって沈み込み、これにより、枕本体部１２に包み込まれるような感覚を得ることが出来る。
【００３２】
また、枕１０は、頸部６や肩部８を支持するための支持部２０の凹部２２が形成されており、この凹部２２に頸部６や肩部８が包み込まれるように覆われるため、肩峰部や肩関節を痛めずに眠ることができるという利点がある。
【００３３】
上記のように枕１０によれば、ユーザー２の頭部４、頸部６、肩部８及び肩甲骨を同時に支えるため、手で肩甲骨を包み込んでくれるような包容感の中で、ゆっくりと楽に睡眠をとることが出来る。
【００３４】
従来の頭のみを支える枕の場合、横向きで寝た場合に下方に位置する肩が潰されて関節を圧迫して痛みが生じるという課題があった。しかしながら、枕１０によれば、上記のように、ユーザー２の頭部４、頸部６、肩部８及び肩甲骨を同時に支えるため、体圧を分散することができ、寝違えや五十肩の予防になるという顕著な効果を奏する。
【００３５】
また、頸部６は、枕本体部１２の丸みの部分に支持されてフィット感があり、体の脱力した状態を保てるため、安心して入眠することができるという利点がある。さらに、枕１０は、天井面部１４に凹凸がなく平坦であるため、寝返りをするための抵抗を軽減することができ、寝返りしやすいというメリットがある。
【００３６】
発明者が、枕１０を多数のユーザー２に使用してもらった後の評価を調査したところ、「快眠」「よく眠れる」「寝心地が良い」「首にしわが寄りにくい」「通気性が良い」「肩凝りが改善した」「五十肩が苦痛でなくなった」「肩の力が抜けて眠れる」「猫背でも眠りやすい」「横向き寝が楽になった」といった好意的な評価が多いことが分かった。
【符号の説明】
【００３７】
２  ユーザー、４  頭部、６  頸部、８  肩部、１０  枕、１２  枕本体部、１４  天井面部、１５ａ，１５ｂ  端辺、１５ｃ  中央辺、１６  底面部、１６ａ，１６ｂ  傾斜面、２０  支持部、２２  凹部。
【図１】
0003217501.tif 000003
【図２】
0003217501.tif 000004